(57)【要約】  真空掃除機および真空掃除機システム（７０）が提供される。真空掃除機（１）は、第１のプロファイル部（２３ａ）と第２のプロファイル部（２３ｂ）とを有するプロファイル（２３）を有するプロファイル装置（２０）を備える。第２のプロファイル部（２３ｂ）は、第１のプロファイル部（２３ａ）を少なくとも部分的に取り囲むように配置され、第１のプロファイル部（２３ａ）は、プロファイル（２３）の長さの調整のために、第２のプロファイル部（２３ｂ）内に摺動可能である。ハウジング（１０）は、プロファイル（２３）に移動可能に取り付けられるように配置され、それにより、ハウジング（１０）は、プロファイル（２３）の長さの少なくとも一部に沿って移動可能である。
2019514453.tif 000002
【特許請求の範囲】
【請求項１】
空気流を発生させるためのモータファンユニットと、ハウジング空気出口と、ハウジング空気入口とを備えるハウジングと、
ノズルの取付けのための第１のプロファイル端部と、ハンドルの取付けのためのプロファイルハンドル端部と、前記第１のプロファイル端部と前記プロファイルハンドル端部との間で延在するプロファイルとを備えるプロファイル装置と、
前記第１のプロファイル端部から前記ハウジング空気出口までの空気流を可能にするための、前記第１のプロファイル端部から前記ハウジング空気入口を経由して前記ハウジング空気出口まで延在する空気流チャンネルと
を備え、
前記プロファイル装置が、第１のプロファイル部と、第２のプロファイル部とを備え、前記第２のプロファイル部が、前記第１のプロファイル部を少なくとも部分的に取り囲むように配置され、前記第１のプロファイル部が、前記プロファイルの長さの調整のために、前記第２のプロファイル部内に摺動可能であり、かつ
前記ハウジングが、前記プロファイルに移動可能に取り付けられるように配置され、それにより、前記ハウジングが、前記プロファイルの前記長さの少なくとも一部に沿って移動可能である
真空掃除機。
【請求項２】
前記プロファイルが少なくとも１つの開口を備え、前記少なくとも１つの開口が、スリット状開口であり、前記第１のプロファイル部の第１のスリット開口部と、前記第２のプロファイル部の第２のスリット開口部とを有する、請求項１に記載の真空掃除機。
【請求項３】
前記プロファイルが、前記ハウジング空気入口が設置される前記少なくとも１つの開口のある部分への前記空気流チャンネルを可能にするように配置される開口カバー手段を備える、請求項１または２に記載の真空掃除機。
【請求項４】
前記開口カバー手段が、前記少なくとも１つの開口の残りの部分を塞ぐように配置される、請求項３に記載の真空掃除機。
【請求項５】
前記開口カバー手段が、
可撓性カバーストリップ、
１つまたは複数の弾性封止要素、
１つまたは複数の蓋、および、
ジッパ装置
のうちの少なくとも１つである、請求項３または４に記載の真空掃除機。
【請求項６】
前記第１のプロファイル端部における第１の端部と、前記ハウジング空気入口に作動可能に接続される第２の端部とを有するフレキシブルホースを備える、請求項１〜５のいずれか一項に記載の真空掃除機。
【請求項７】
前記フレキシブルホースが、前記プロファイルの中で少なくとも部分的に取り囲まれ、前記第２の端部が、前記プロファイルの前記少なくとも１つの開口を介して、前記ハウジング空気入口に作動可能に接続される、請求項６に記載の真空掃除機。
【請求項８】
前記第１のプロファイル部が第１のレールを備え、前記第２のプロファイル部が第２のレールを備え、前記ハウジングが、前記第１のレールおよび／または前記第２のレールに沿って移動するように配置されるハウジングベースを備える、請求項１〜７のいずれか一項に記載の真空掃除機。
【請求項９】
前記ハウジング空気入口が前記ハウジングベースに配置され、前記フレキシブルホースの前記第２の端部が、前記ハウジングベースに取り付けられるように配置される、請求項６または７に従属する請求項８に記載の真空掃除機。
【請求項１０】
前記プロファイルの前記長さに沿って２つ以上の別個の開口を備える少なくとも１つの開口を備える、請求項１に記載の真空掃除機。
【請求項１１】
前記ハウジングが、前記ハウジング空気入口が前記２つ以上の別個の開口のうちの１つの別個の開口に略一直線に並ぶ前記プロファイルの前記長さに沿った位置で前記プロファイルに取り付け可能である、請求項１０に記載の真空掃除機。
【請求項１２】
前記ハウジング空気入口に略一直線に並んでいない１つまたは複数の別個の開口が、前記開口カバー手段に塞がれる、請求項３から５のいずれか１項に記載の真空掃除機。
【請求項１３】
前記真空掃除機が、前記プロファイル装置に取り付けられ、好ましくは前記プロファイルハンドル端部に枢動可能に取り付けられるハンドルを備える、請求項１〜１２のいずれか一項に記載の真空掃除機。
【請求項１４】
前記ハンドルが、ファン効果およびノズル機能の少なくとも１つの制御のための制御装置を備える、請求項１３に記載の真空掃除機。
【請求項１５】
前記真空掃除機が、前記第１のプロファイル端部に取り付け可能である、ノズル空気入口を有するノズルを備える、請求項１〜１４のいずれか一項に記載の真空掃除機。
【請求項１６】
前記真空掃除機が、前記真空掃除機が作動位置に設置されたときに上方または斜め上方を向くように配置される第１の側と、前記真空掃除機が作動位置に設置されたときに下方または斜め下方を向くように配置される第２の側と
を備え、前記ハウジングが前記第１の側に取り付けられる、請求項１〜１５のいずれか一項に記載の真空掃除機。
【請求項１７】
前記真空掃除機が、たとえば前記モータファンユニットに電力を供給するための充電可能な電池を備える、請求項１〜１６のいずれか一項に記載の真空掃除機。
【請求項１８】
ドッキングステーションと請求項１７に記載の真空掃除機とを備え、前記ドッキングステーションが前記真空掃除機の前記電池を充電することが可能である、真空掃除機システム。
【発明の詳細な説明】
【技術分野】
【０００１】
本明細書の実施形態は、真空掃除機に関する。より詳細には、本明細書の実施形態は、縦型／スティック型真空掃除機および／または手持ち型真空掃除機に関する。本明細書の実施形態は、真空掃除機とドッキングステーションとを備える真空掃除機システムにさらに関する。
【背景技術】
【０００２】
さまざまな種類のスティック型真空掃除機が知られている。このタイプの真空掃除機は一般に、一端のノズルと他端のハンドルとを有する細長い本体を有する。ファンおよびフィルタを有するハウジングが、細長い本体に取り付けられてもよく、本体と略平行に延在してもよい。そのようなハウジングは、ファンおよびモータ、集塵機、フィルタ、および他の必要な部品を備えてもよい。
【０００３】
手持ち型真空掃除機を用いると、ユーザは比較的容易かつ効率的な方法で塵および屑を除去することが可能になり、単一のハンドグリップで操作することができる。
【０００４】
いくつかのスティック型真空掃除機では、ハウジングは、細長い本体から取り外し可能であり、細長い本体から分離された手持ち型真空掃除機として単独で使用してもよい。これは、たとえば、テーブルおよび同様のものからパン屑を吸い上げるために有用となり得る。これにより、ユーザは本体のノズルが適合しない表面に到達することも可能になる。欧州特許第１９６９９８８号明細書では、そのような真空掃除機の例が開示されている。
【０００５】
多くの縦型／スティック型真空掃除機の欠点は、ベッド、ソファーなどの下を掃除機がけすることが難しいことであり、それは、ノズルが届き得る距離をハウジングが制限することがあるためである。換言すれば、ハウジングの寸法がベッド／ソファーと掃除する床との間の高さより大きいとき、ハウジングはベッド／ソファーにぶつかることがある。
【０００６】
さらに、壁、棚、および天井などの特定の高さより上の面上で真空掃除機を効率的に使うことが課題であることがあり、それは、手持ち型真空掃除機の設計が一般に、床の清掃に最適化されているためである。
【０００７】
英国特許第１１５１９９０号明細書では、これらの問題または欠点のうちのいくつかに対処している。英国特許第１１５１９９０号明細書の真空掃除機のハウジングは、異なる位置の間で移動することができる。これによって、ユーザは、低い家具および同様のものの下の面にアクセスすることができる。英国特許第１１５１９９０号明細書で開示された真空掃除機は、いくつかの用途においては適切に働くが、効率性、融通性、および人間工学に関して必要な改善は残っている。
【発明の概要】
【発明が解決しようとする課題】
【０００８】
目的は、より効率的な真空掃除機を提供することである。
【課題を解決するための手段】
【０００９】
ある実施形態によると、目的は、空気流を発生させるためのモータファンユニットと、ハウジング空気出口と、ハウジング空気入口とを備えるハウジングと、ノズルの取付けのための第１のプロファイル端部と、ハンドルの取付けのためのプロファイルハンドル端部と、第１のプロファイル端部とプロファイルハンドル端部との間で延在するプロファイルとを備えるプロファイル装置と、第１のプロファイル端部からハウジング空気出口までの空気流を可能にするための、第１のプロファイル端部からハウジング空気入口を経由してハウジング空気出口まで延在する空気流チャンネルとを備える真空掃除機によって達成される。プロファイル装置は、第１のプロファイル部と、第２のプロファイル部とを備え、第２のプロファイル部は、第１のプロファイル部を少なくとも部分的に取り囲むように配置され、第１のプロファイル部は、プロファイルの長さの調整のために、第２のプロファイル部内に摺動可能であり、そのハウジングは、プロファイルに対して移動可能に取り付けられるように配置され、それにより、ハウジングは、プロファイルの長さの少なくとも一部に沿って移動可能である。
【００１０】
第１のプロファイル部が第２のプロファイル部に対して摺動可能または伸縮可能であるので、かつ、ハウジングがプロファイルの長さの少なくとも一部に沿って移動可能であるように、ハウジングがプロファイルに対して移動可能に取り付けられるように配置されるので、非常に融通のきく真空掃除機が実現される。ユーザは必要に応じて、プロファイルを伸ばしてもよく、それにより、立った姿勢で真空掃除機を使うことができ、たとえば、階段または同様のところで真空掃除機を使用するときは、プロファイルを縮めてもよい。さらに、ユーザは、床を掃除機がけするとき、ノズルに比較的近い位置にハウジングを移動させてもよく、たとえば、壁、天井などを掃除機がけするときは、グリップ部分により近い位置にハウジングを移動させてもよい。そのため、ユーザは、プロファイルの長さおよび真空掃除機の重心の両方を変えることができる。これにより、真空掃除機は、効率的で、融通のきく、人間工学的な掃除機がけが可能になる。これによりさらに、必要に応じて、真空掃除機は比較的より重くすることが可能になる。これは、真空掃除機が多少の重量を有する強力なモータおよび電池を備えるときに、非常に有用であると判明した。
【００１１】
いくつかの実施形態によると、プロファイルは少なくとも１つの開口を備え、少なくとも１つの開口はスリット状開口であり、第１のプロファイル部の第１のスリット開口部と、第２のプロファイル部の第２のスリット開口部とを有する。ハウジングは、第１および／または第２のプロファイル部の異なる位置でプロファイルに対して移動可能に取り付けられるように配置され、ノズル／第１のプロファイル端部からの空気流は、第１のスリット開口部または第２のスリット開口部を介してハウジングに入ることができる。
【００１２】
いくつかの実施形態によると、プロファイルは、ハウジング空気入口が設置される開口のある部分への空気流チャンネルを可能にするように配置される開口カバー手段を備える。いくつかの実施形態によると、開口カバー手段は、開口の残りの部分を塞ぐように配置される。これは、第１のプロファイル端部からハウジングへの効率的な流れおよび強い吸引力を可能にする。開口カバー手段は、より小さい物体が開口で動かなくなることも防ぎ、プロファイルの長さに沿ってハウジングを移動させるとき、ユーザが開口で指をつめることを防ぐことができる。
【００１３】
いくつかの実施形態によると、開口カバー手段は、可撓性カバーストリップ、１つまたは複数の弾性封止要素、１つまたは複数の蓋、および、ジッパ装置のうちの少なくとも１つである。これにより、開口の効率的なカバーが実現される。
【００１４】
いくつかの実施形態によると、真空掃除機は、第１のプロファイル端部における第１の端部と、ハウジング空気入口に作動可能に接続される第２の端部とを有するフレキシブルホースを備える。フレキシブルホースは、第１のプロファイル端部をハウジング空気入口と接続するための、信頼性の高い効率的な解決方法である。フレキシブルホースはまた、第１のプロファイル端部とハウジング空気入口との間に効率的で妨げのない空気流を提供する。
【００１５】
いくつかの実施形態によると、フレキシブルホースは、プロファイルの中で少なくとも部分的に取り囲まれ、第２の端部は、プロファイルの開口を介して、ハウジング空気入口に作動可能に接続される。さらに、フレキシブルホースは、プロファイルによって適切に保護される。
【００１６】
いくつかの実施形態によると、第１のプロファイル部は第１のレールを備え、第２のプロファイル部は第２のレールを備え、ハウジングは、第１のレールおよび／または第２のレールに沿って移動するように配置されるハウジングベースを備える。これにより、ハウジングは、プロファイルに沿った異なる位置の間で、容易かつ確実に移動可能である。ハウジングは、恒久的にまたは着脱可能に、ハウジングベースに取り付けられてもよい。いくつかの実施形態によると、ハウジング空気入口はハウジングベースに配置され、フレキシブルホースの第２の端部は、ハウジングベースに取り付けられるように配置される。
【００１７】
いくつかの実施形態によると、プロファイルは、プロファイルの長さに沿って２つ以上の別個の開口を備える少なくとも１つの開口を備える。これにより、ハウジングは、プロファイルに沿って異なる別個の位置の間を容易に移動できる。いくつかの実施形態によると、ハウジングは、ハウジング空気入口が２つ以上の別個の開口のうちの１つの別個の開口に略一直線に並ぶプロファイルの長さに沿った位置でプロファイルに取り付け可能であり、いくつかの実施形態によると、空気入口に略一直線に並んでいない１つまたは複数の別個の開口は、開口カバー手段によって塞がれる。これは、第１のプロファイル端部からハウジングへの効率的な流れおよび強い吸引力を可能にする。
【００１８】
いくつかの実施形態によると、真空掃除機は、プロファイル装置に取り付けられ、好ましくはプロファイルハンドル端部に枢動可能に取り付けられるハンドルを備える。ハンドルにより、ユーザは自身の好みに従ってハンドル位置を調整することが可能になる。ハンドルはまた、真空掃除機の長さを伸ばすまたは縮めるために使用してもよい。
【００１９】
いくつかの実施形態によると、ハンドルは、ファン効果およびノズル機能の少なくとも１つの制御のための制御装置を備える。これにより、空気の流量を調整することができる。ユーザはまた、制御装置を介して、ノズルライト、ブラシローラなどの１つまたは複数のノズル機能を効率的に制御することができる。
【００２０】
いくつかの実施形態によると、真空掃除機は、第１のプロファイル端部に取り付け可能である、ノズル空気入口を有するノズルを備える。ノズルは、床を掃除機がけする間など、多くの用途で有用となり得る。
【００２１】
いくつかの実施形態によると、真空掃除機は、真空掃除機が作動位置に設置されたときに上方または斜め上方を向くように配置される第１の側と、真空掃除機が作動位置に設置されたときに下方または斜め下方を向くように配置される第２の側とを備え、ハウジングは第１の側に取り付けられる。これにより、ソファー、ベッドなどの下の掃除機がけが容易になる。
【００２２】
いくつかの実施形態によると、真空掃除機は、たとえばモータファンユニットに電力を供給するための充電可能な電池を備える。電池が、真空掃除機の重量の大部分を占めてもよい。本明細書の実施形態はこの重量を効率的に「平衡させる」ことを証明したが、それは、ユーザが、好適な長さの選択、および、重心点がプロファイルに沿って配置されなければならない場所の選択の両方を行うことができるためである。
【００２３】
本明細書の目的は、より効率的な真空掃除機システムを提供することでもある。ある実施形態によると、本目的は、ドッキングステーションと本明細書の実施形態による真空掃除機とを備える真空掃除機システムによって達成され、前記ドッキングステーションは真空掃除機の電池を充電することが可能である。これにより、効率的で、融通のきく、人間工学的な真空掃除機システムが実現される。
【００２４】
本明細書の実施形態の、その特定の特徴および利点を含むさまざまな態様は、以下の詳細説明および添付図面から容易に理解されるであろう。
【図面の簡単な説明】
【００２５】
【図１】図１は、ハウジングが第１の位置にある、いくつかの実施形態による真空掃除機の斜視図を示す。
【図２】図２は、ハウジングが第２の位置にある、図１の真空掃除機を示す。
【図３】図３は、縮めたときの、いくつかの実施形態による真空掃除機の側面図を示す。
【図４】図４は、引き出したときの、ハウジングが第２の位置にある、図３の真空掃除機を示す。
【図５】図５は、ハウジングが第１の位置にある、図４の真空掃除機を示す。
【図６】図６は、縮めたときの、いくつかの実施形態による真空掃除機を示す。
【図７】図７は、いくつかの実施形態による真空掃除機を示す。
【図８】図８は、いくつかの他の実施形態による真空掃除機を示す。
【図９】図９は、図３の真空掃除機の断面を示す。
【図１０】図１０は、図４の真空掃除機の断面を示す。
【図１１】図１１は、図５の真空掃除機の断面を示す。
【図１２】図１２は、ハンドルが折りたたまれた位置にある、いくつかの他の実施形態による真空掃除機を示す。
【図１３】図１３は、ハンドルが半分折りたたまれた位置にある、いくつかの他の実施形態による真空掃除機を示す。
【図１４】図１４は、ハンドルが開位置にある、いくつかの他の実施形態による真空掃除機システムおよび真空掃除機を示す。
【図１５】図１５は、真空掃除機の断面を示す。
【図１６】図１６は、いくつかの実施形態による真空掃除機を概略的に示す。
【発明を実施するための形態】
【００２６】
ここで、本明細書の実施形態は、実施形態が示される添付図面を参照してより完全に説明される。よく知られている機能または構成は、簡潔さおよび／または明瞭さのために、必ずしも詳細に記載されるわけではない。
【００２７】
図１および図２は、いくつかの実施形態による真空掃除機１を示す。図１および図２において、真空掃除機１は斜視図で示される。
【００２８】
真空掃除機１はハウジング１０を備える。ハウジング１０は、真空掃除機１のいくつかの部品を収容するための中空体または中空構造として作られてもよい。ハウジング１０は、空気流を発生させるためのモータファンユニットを備えてもよい。概略の空気流および概略のモータファンユニットは、図９〜１１に示される。ハウジング１０はまた、図９〜１１にも示される、ハウジング空気出口１１とハウジング空気入口とを備える。
【００２９】
真空掃除機１はプロファイル装置２０をさらに備える。プロファイル装置２０は、第１のプロファイル端部２１と、プロファイルグリップ部分２２と、第１のプロファイル端部２１とプロファイルグリップ部分２２との間で延在するプロファイル２３とを備える。プロファイル装置２０は、第１のプロファイル端部２１からハウジング空気入口への空気流を可能にするための、少なくとも１つの開口２５を備える。プロファイル装置２０はまた、オープンプロファイル装置、細長いプロファイル装置などと呼ばれてもよい。プロファイル２３はまた、オープンプロファイル、細長いプロファイルなどと呼ばれてもよい。開口２５はたとえば、第１のプロファイル部２３ａの第１のスリット開口部２５ａと、第２のプロファイル部２３ｂの第２のスリット開口部２５ｂとを有する、スリット状開口とすることができる。図１６に関連して示される他の実施形態において、少なくとも１つの開口２５は、プロファイル２３の長さに沿って、２つ以上の別個の開口２５'を備える。図１および２に示されるように、プロファイル２３の任意の端部オリフィスとは対照的に、開口２５は径方向に配置または向けられてもよい。
【００３０】
プロファイル装置２０は、第１のプロファイル部２３ａと、第２のプロファイル部２３ｂとを備える。第２のプロファイル部２３ｂは、第１のプロファイル部２３ａを少なくとも部分的に取り囲むように配置される。図１および２に示される実施形態において、第２のプロファイル部２３ｂは、真空掃除機１のノズル４０の最も近くに示される。他の実施形態においては、第１のプロファイル部２３ａがノズル４０に最も近い。換言すれば、他のプロファイル部が摺動されてもよい、より大きい寸法を有するプロファイル部は、上側または下側位置に選択的に配置することができる。第１のプロファイル部２３ａは、プロファイル２３の長さの調整のために、第２のプロファイル部２３ｂに対して摺動可能または伸縮可能である。第１のプロファイル部２３ａおよび第２のプロファイル部２３ｂは、伸縮式のプロファイル２３を一緒に形成する。プロファイル装置２０は、第１のプロファイル部２３ａおよび第２のプロファイル部２３ｂを相対的に互いに係止するためのロック２４または同様のものを備えてもよい。
【００３１】
図１および２に示される実施形態においては、さらに、ハンドル５０がプロファイルグリップ部分２２に取り付けられる。
【００３２】
図１および２に示される真空掃除機は、開口カバー手段２６を備える。開口カバー手段２６は、その空気入口を有するハウジング１０が設置される開口２５のある部分への空気流を可能にするように、そして、開口２５の残りの部分を塞ぐように配置される。開口カバー手段２６は開口２５の部分を備えることができ、塞ぐことができる。あるいは、開口カバー手段２６は可撓性カバーストリップを備える。そのような可撓性カバーストリップは、伸長可能／伸縮可能なメジャーテープと同じ作動原理で設計されていてもよく、１つまたは２つの部品を備えてもよい。開口カバー手段２６は、いくつかの実施形態において、開口２５を選択的に塞ぐための１つまたは複数の弾性封止要素を備えてもよい。開口カバー手段２６はまた、開口を選択的に塞ぐためのジッパ装置または同様のものを備えてもよい。開口カバー手段２６は、さらに／代わりに、図１６に示されるような１つまたは複数の蓋を備えてもよい。
【００３３】
ハウジング１０は、プロファイル２３の長さに沿った第１のプロファイル部２３ａおよび／または第２のプロファイル部２３ｂの異なる位置でプロファイル２３に取り付けられるように配置される。図１において、ハウジング１０は第１の位置Ａに配置され、図２において、ハウジングは第２の位置Ｂに配置される。第１の位置はノズルから最も遠いので、場合によっては上側位置と呼ばれてもよく、真空掃除機が縦置きに配置されるとき、第２の位置は場合によっては下側位置と呼ばれてもよい。
【００３４】
ハウジング１０は、プロファイル２３の長さに沿った複数の異なる位置に配置できることが理解される。第１の位置Ａおよび第２の位置Ｂは、ハウジング位置の例としての役割を果たしてもよい。いくつかの実施形態において、ハウジング１０は、プロファイル２３の長さに沿った、たとえば２〜６箇所の別個の位置に配置されてもよい。いくつかの実施形態において、ハウジング１０は、自由に摺動可能で、プロファイル２３の長さに沿った任意の位置に取り付け可能であるように配置されてもよい。ハウジングは、任意の種類のラッチによって選択位置に固定されてもよく、ラッチが開けられたときに解放されてもよい。
【００３５】
図３において、真空掃除機１は縮められ、第１のプロファイル部２３ａは、広い範囲で第２のプロファイル部２３ｂに取り囲まれている。ハンドル５０は折りたたまれた位置にある。この真空掃除機構成は、たとえば、階段の掃除機がけに好適となり得る。
【００３６】
図４において、真空掃除機１は引き出され、第１のプロファイル部２３ａの少しの部分のみが、第２のプロファイル部２３ｂによって取り囲まれている。ハンドル５０は開位置にある。ハウジング１０は下側位置すなわち第２の位置Ｂにある。たとえば、比較的低重心が好まれることがある場合の床の掃除機がけの間、この真空掃除機構成は好適となり得る。
【００３７】
図５において、真空掃除機１は引き出され、第１のプロファイル部２３ａの少しの部分のみが、第２のプロファイル部２３ｂによって取り囲まれている。ハンドル５０は開位置にある。ハウジング１０は上側位置すなわち第１の位置Ａにある。たとえば、壁、高い棚、または天井を掃除機がけするときなど、ノズル４０がハウジング１０より上にある状況の掃除機がけの間、この真空掃除機構成は好適となり得る。ハウジング１０が第２の位置Ｂにあるので、真空掃除機のノズル４０を上方に動かすと、ハウジング１０は比較的低くなる。それゆえ、これらの掃除機がけ作業中も、比較的低い重心が実現される。さらに、この真空掃除機構成は、ベッド、ソファーなどの低い家具の下での掃除機がけに有利となり得る。ハウジング１０が第１の位置Ａにあるので、ノズル４０は、ハウジング１０に妨げられることなく、ベッドの下で遠くに到達できる。
【００３８】
図６は、小さい種類のノズルのみ取り付けられた真空掃除機１を示す。真空掃除機１は縮められ、第１のプロファイル部２３ａは、広い範囲で第２のプロファイル部２３ｂに取り囲まれている。ハンドル５０は折りたたまれた位置にある。この真空掃除機構成は、たとえば、テーブル、棚、および同様のものの掃除機がけに好適となり得る。
【００３９】
図７において、真空掃除機１は引き出され、第１のプロファイル部２３ａの少しの部分のみが、第２のプロファイル部２３ｂによって取り囲まれている。ハンドル５０は閉位置にある。ハウジング１０は第１の位置Ａにある。たとえば、壁、高い棚、または天井を掃除機がけするときなど、第１のプロファイル端部２１がハウジング１０より上にある状況の掃除機がけの間、この真空掃除機構成は好適となり得る。ハウジング１０が第１の位置Ａにあるので、真空掃除機の第１のプロファイル端部２１を上方に動かすと、ハウジング１０は比較的低くなる。それゆえ、これらの掃除機がけ作業中も、比較的低い重心が実現される。
【００４０】
図８は、組み合わされたノズルとフレキシブルチューブ４１とが取り付けられた真空掃除機１を示す。真空掃除機１は縮められ、第１のプロファイル部２３ａは、広い範囲で第２のプロファイル部２３ｂに取り囲まれている。ハンドル５０は折りたたまれた位置にある。この真空掃除機構成は、たとえば、テーブル、棚、および同様のものの掃除機がけに好適となり得る。
【００４１】
図９、図１０、および図１１において、真空掃除機１の概略断面図が示される。ハウジング１０は、モータファンユニット１２と、１つまたは複数のフィルタ１３と、ハウジング空気入口１４とを備えてもよい。ハウジング１０はまた、バッグ、塵分離室、または集塵機１９を備えてもよい。モータファンユニットは負圧を発生させることが可能であり、それによって、ノズル４０の空気入口６１からハウジング空気入口１４を経由してハウジング空気出口１１まで空気流６０を流す。図１０は、ハウジング１０、第１のプロファイル部２３ａ、および第２のプロファイル部２３ｂによる図４に示された真空掃除機構成の概略断面図である。図１１は、ハウジング１０、第１のプロファイル部２３ａ、および第２のプロファイル部２３ｂによる図５に示された真空掃除機構成の概略断面図である。
【００４２】
図９〜１１に示される実施形態において、フレキシブルホース３５が示される。フレキシブルホース３５は、第１のプロファイル端部の第１の端部３６と、プロファイル２３の開口２５とハウジング空気入口１４とに作動可能に接続された第２の端部３７とを有するプロファイル内に配置することができる。
【００４３】
図１２は、ハンドル５０が折りたたまれた位置にある真空掃除機１の側面図である。図１３は、ハンドル５０が半分折りたたまれた位置にある真空掃除機１の側面図である。図１４において、真空掃除機１は開位置のハンドル５０を有する。ハンドル５０は、ファン効果、ノズル機能、または調整可能である必要がある場合もある任意の他の真空掃除機機能のうちの少なくとも１つの制御のための制御装置５１を任意選択的に備えてもよい。
【００４４】
図１４に、充電可能な電池７１およびドッキングステーション７２を有する真空掃除機システム７０が示されている。ドッキングステーション７２は、真空掃除機の電池７１を充電することが可能である。いくつかの実施形態において、真空掃除機１は、電池の代わりに電気ケーブルを介して作動させてもよい。
【００４５】
図１５は、いくつかの実施形態による、真空掃除機１の断面図を示す。図１５に示される実施形態において、真空掃除機１は、第１のプロファイル部２３ａと、第２のプロファイル部２３ｂと、フレキシブルホース３５とを備える。第１のプロファイル部２３ａは第１のレール２７ａを備える。第２のプロファイル部２３ｂは第２のレール２７ｂを備える。ハウジングは、第１のレール２７ａおよび／または第２のレール２７ｂに沿って移動するように配置されるハウジングベース１６を備える。ハウジングベース１６は、第１のレール２７ａと協働するように配置される溝１６ａと、第２のレール２７ｂと協働するように配置される第２の溝１６ｂとを備えてもよい。これによって、ハウジングベース１６は、プロファイルに沿って容易に摺動／移動できる。（図９〜１１において１４と表記された）ハウジング空気入口は、ハウジングベース１６に配置されてもよい。（図９〜１１において３７と表記された）フレキシブルホースの第２の端部は、ハウジングベース１６に取り付けられるように配置されてもよい。
【００４６】
いくつかの実施形態において、ハウジングベース１６は、プロファイル２３を部分的にまたは完全に取り囲むことがある１つまたは複数のブラケットまたはスリーブを備える。さらに、ハウジングベース１６は、プロファイル２３の長さに沿って摺動されてもよく、主に第１のプロファイル部２３ａおよび／または第２のプロファイル部２３ｂの外面と協働する。第１のスリーブ部は、第１のプロファイル部２３ａのまわりに嵌合されるように配置されてもよく、第２のスリーブ部は、第２のプロファイル部２３ｂのまわりで嵌合されるように配置されてもよい。そのような実施形態は、レールによって設計されてもよく、または、任意のレールなしで設計されてもよい。
【００４７】
図１５に、電気ケーブル５９が示される。そのようなケーブルは、プロファイル部の隙間５８の中に配置されてもよい。そのようなケーブル５９は、ハンドルの制御装置を、ノズル、ファン、および／またはモータなどの他の部品と接続してもよい。いくつかの実施形態において、摺動接触が隙間５８内に配置される。
【００４８】
図１６に、少なくとも１つの開口が、第１のプロファイル部２３ａおよび第２のプロファイル部２３ｂの長さに沿って２つの別個の開口２５'を備える実施形態が示されている。蓋の形態のカバー手段２６は、ハウジング１０への空気流を可能にし、他の位置で開口２５'をブロックするように配置されてもよい。蓋は、たとえば、閉位置に付勢されてもよく、ハウジング１０によって強制的に開けられてもよい。
【００４９】
ハウジング、プロファイル装置、ノズル、およびハンドルは、少なくとも部分的に、プラスチック、金属、または任意の他の好適な材料から作られてもよい。
【図１】
2019514453.tif 000003
【図２】
2019514453.tif 000004
【図３】
2019514453.tif 000005
【図４】
2019514453.tif 000006
【図５】
2019514453.tif 000007
【図６】
2019514453.tif 000008
【図７】
2019514453.tif 000009
【図８】
2019514453.tif 000010
【図９】
2019514453.tif 000011
【図１０】
2019514453.tif 000012
【図１１】
2019514453.tif 000013
【図１２】
2019514453.tif 000014
【図１３】
2019514453.tif 000015
【図１４】
2019514453.tif 000016
【図１５】
2019514453.tif 000017
【図１６】
2019514453.tif 000018
【国際調査報告】
2019514453.tif 000019
2019514453.tif 000020